(57)【要約】【課題】タッチパネルの周囲を隠しつつ、厚み方向の段差に係る諸問題を解消する。【解決手段】筐体１の開口部１１の内方に開口部より接触検知面積の小さいタッチパネル３を配置して、筐体１の開口部１１の周囲にタッチパネル３の周囲を覆う別部材４を設ける。さらに、タッチパネル３の周囲と別部材４との間に弾性部材７を介装する。具体的には、タッチパネル３は、ＬＣＤモジュール３１にＩＴＯモジュール３３・３４を貼り付けて構成される。また、別部材４には、ＩＴＯモジュール３３・３４の外方においてＬＣＤモジュール３１に当接する当接部４１が形成される。そして、ＩＴＯモジュール３３・３４の端部から引き出されるフレキシブル配線基板３５が、別部材４の当接部４１の間に形成したスペースを通して配置される。【選択図】図３
2012242979.tif 000002
【特許請求の範囲】
【請求項１】
少なくとも二つの部材からなり、一方に開口部を有する筐体と、
前記開口部の開口面積よりも小さい接触検知面積を有するタッチパネルと、
前記筐体内部に配置されるとともに、前記開口部に対応する位置に前記タッチパネルを実装するモジュールと、
前記タッチパネルの前記接触検知面積分が露出するように前記開口部の周囲に実装される別部材と、
を備えたことを特徴とする電子機器。
【請求項２】
前記タッチパネルの周囲と前記別部材との間に弾性部材を介装したことを特徴とする請求項１に記載の電子機器。
【請求項３】
前記モジュールとはＬＣＤモジュールであり、前記タッチパネルは、前記ＬＣＤモジュールにＩＴＯモジュールを貼り付けて構成されることを特徴とする請求項１または２に記載の電子機器。
【請求項４】
前記別部材には、前記ＩＴＯモジュールの外方において前記ＬＣＤモジュールに当接する当接部が形成されることを特徴とする請求項３に記載の電子機器。
【請求項５】
前記ＩＴＯモジュールの端部から引き出されるフレキシブル配線基板が、前記別部材の前記当接部の間に形成したスペースを通して配置されることを特徴とする請求項４に記載の電子機器。
【発明の詳細な説明】
【技術分野】
【０００１】
本発明は、筐体へタッチパネルが組み込まれる電子機器に関する。
【背景技術】
【０００２】
携帯情報機器の表示部において、タッチパネルの周囲に圧縮状態で密封される弾性部材を介装して筐体の開口部周囲を重ねた構造が特許文献１に開示される。
一般にＬＣＤ（Liquid Crystal Display：液晶ディスプレイ）モジュールに、ＩＴＯ（Indium Tin Oxide：透明導電膜）モジュールを貼り付けて構成されるタッチパネルは、特許文献１のように、周囲を筐体で覆う必要がある。
【先行技術文献】
【特許文献】
【０００３】
【特許文献１】特開２００８−２６１９８７号公報
【発明の概要】
【発明が解決しようとする課題】
【０００４】
このようにタッチパネルは周囲を筐体で覆う構成が一般的であるが、ＬＣＤモジュールやＩＴＯモジュールのフレキシブル配線基板がこれらモジュールの端（縁）部に存在し引き出されたこれらのフレキシブル配線基板を覆うスペースを筐体内部に確保するため、タッチパネルとその周囲の筐体面とにおいて厚み方向に段差が生じ、この段差が指で操作する際の操作間に大きな影響を与えているという問題がある。
【０００５】
本発明の課題は、タッチパネルの周囲を隠しつつ、上記のような厚み方向の段差に係る諸問題を解消することである。
【課題を解決するための手段】
【０００６】
以上の課題を解決するため、本発明は、少なくとも二つの部材からなり、一方に開口部を有する筐体と、前記開口部の開口面積よりも小さい接触検知面積を有するタッチパネルと、前記筐体内部に配置されるとともに、前記開口部に対応する位置に前記タッチパネルを実装するモジュールと、前記タッチパネルの前記接触検知面積分が露出するように前記開口部の周囲に実装される別部材と、を備えた電子機器を特徴とする。
【発明の効果】
【０００７】
本発明によれば、厚み方向の段差に係る諸問題を解消することができる。
【図面の簡単な説明】
【０００８】
【図１】本発明を適用した電子機器の一実施形態の構成を示すもので、カメラのタッチパネル側から見た正面図である。
【図２】図１のカメラの筐体の分解斜視図である。
【図３】図１のカメラの要部の拡大断面図である。
【発明を実施するための形態】
【０００９】
以下、図を参照して本発明を実施するための形態を詳細に説明する。
（実施形態）
図１及び図２は本発明を適用した電子機器の一実施形態の構成としてカメラを示すもので、１は上筐体、２はシャッターボタン、３はタッチパネル、４はグリップ（別部材）、５は下筐体である。
【００１０】
図示のように、上筐体１にモニター用の大きな開口部１１が形成されて、上筐体１の上方にシャッターボタン２が備えられ、開口部１１の内方に開口部１１の開口面積よりも小さい接触検知面積を有するタッチパネル３が位置し、その左右両側に別部材であるグリップ４が備えられている。
【００１１】
具体的には、タッチパネル３は、ＬＣＤモジュール３１を介して下筐体５に組み付けられている。
すなわち、タッチパネル３は、図３に示すように、ＬＣＤモジュール３１に上下２枚からなり、ＬＣＤモジュール３１よりも接触検知面積の小さいＩＴＯモジュール３３・３４を貼り付けて構成されていて、下筐体５の内部を上下に仕切るメタルフレーム６の上に組み付けられている。
【００１２】
図２の右側において、ＬＣＤモジュール３１の端部からフレキシブル配線基板３２が引き出されて、ＩＴＯモジュール３３・３４の端部からもフレキシブル配線基板３５が引き出されている。これら２枚のフレキシブル配線基板３２・３５は、メタルフレーム６下の下筐体５内部に組み付けた図示しない回路基板に電気的接続されている。
【００１３】
また、上筐体１の開口部１１の左右両側に沿ってグリップ４がそれぞれ接着して備えられている。
このグリップ４は、上筐体１を下筐体５に合体させた状態で、タッチパネル３のＬＣＤモジュール３１に貼り付けたＩＴＯモジュール３３・３４の左右両側部を貼りズレを覆い隠すように覆う。
【００１４】
そして、図２の右側のグリップ４には、ＩＴＯモジュール３３・３４の外方において、図３に示すように、フレキシブル配線基板３５を跨ぐようにして、ＬＣＤモジュール３１上に当接する２本の当接部４１が一体に形成されている。
【００１５】
こうして、ＩＴＯモジュール３３・３４の端部から引き出されるフレキシブル配線基板３５が、グリップ４の２本の当接部４１の間に形成したスペースを通して配置されている。
【００１６】
さらに、グリップ４とＩＴＯモジュール３３・３４との間には、弾性部材７が圧縮状態で介装されている。
【００１７】
以上、実施形態のタッチパネル組込構造によれば、上筐体１の開口部１１の内方に、ＬＣＤモジュール３１にＩＴＯモジュール３３・３４を貼り付けて構成されるタッチパネル３を配置して、上筐体１の開口部１１の左右両側にＩＴＯモジュール３３・３４の周囲を覆うグリップ４を設けたことで、そのグリップ４によりタッチパネル３のＩＴＯモジュール３３・３４の周囲の貼りズレを隠して、筐体の薄型化を達成することができる。
【００１８】
また、ＩＴＯモジュール３３・３４の周囲とグリップ４との間に弾性部材７を介装したことで、タッチパネル３の両側への塵埃の混入を防止することができる。
【００１９】
そして、グリップ４に、ＩＴＯモジュール３３・３４の外方においてＬＣＤモジュール３１上に当接する２本の当接部４１を形成したことで、その２本の当接部４１の間に形成されたスペースに、ＩＴＯモジュール３３・３４の端部から引き出されるフレキシブル配線基板３５を通して配置することができる。
【００２０】
（変形例）
以上の実施形態においては、カメラとしたが、本発明はこれに限定されるものではなく、カメラを備える携帯電話や携帯情報機器など他の電子機器であってもよい。
また、別部材（グリップ）の形状や位置等も任意であり、その他、具体的な細部構造等についても適宜に変更可能であることは勿論である。
【００２１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
少なくとも二つの部材からなり、一方に開口部を有する筐体と、
前記開口部の開口面積よりも小さい接触検知面積を有するタッチパネルと、
前記筐体内部に配置されるとともに、前記開口部に対応する位置に前記タッチパネルを実装するモジュールと、
前記タッチパネルの前記接触検知面積分が露出するように前記開口部の周囲に実装される別部材と、
を備えたことを特徴とする電子機器。
＜請求項２＞
前記タッチパネルの周囲と前記別部材との間に弾性部材を介装したことを特徴とする請求項１に記載の電子機器。
＜請求項３＞
前記モジュールとはＬＣＤモジュールであり、前記タッチパネルは、前記ＬＣＤモジュールにＩＴＯモジュールを貼り付けて構成されることを特徴とする請求項１または２に記載の電子機器。
＜請求項４＞
前記別部材には、前記ＩＴＯモジュールの外方において前記ＬＣＤモジュールに当接する当接部が形成されることを特徴とする請求項３に記載の電子機器。
＜請求項５＞
前記ＩＴＯモジュールの端部から引き出されるフレキシブル配線基板が、前記別部材の前記当接部の間に形成したスペースを通して配置されることを特徴とする請求項４に記載の電子機器。
【符号の説明】
【００２２】
１  上筐体
１１  開口部
２  シャッターボタン
３  タッチパネル
３１  ＬＣＤモジュール
３２  フレキシブル配線基板
３３  ＩＴＯモジュール
３４  ＩＴＯモジュール
３５  フレキシブル配線基板
４  別部材
４１  当接部
５  下筐体
６  メタルフレーム
７  弾性部材
【図１】
2012242979.tif 000003
【図２】
2012242979.tif 000004
【図３】
2012242979.tif 000005